(57)【要約】      （修正有）【課題】スプリングベッド、ソファーに、寒い日或いは暑い日に、保温及び殺菌、ダニ駆除の効果を具備させるか或いは冷却の効果を具備させ、ベッド又は椅子を、使用者が横たわるか座る時に快適で、健康によいものとするベッド又は椅子の保冷保温装置の提供。【解決手段】通気布材で形成した長形管体を具え、該長形管体に複数のそれと貫通する枝管が設けられ、且つこれら枝管が長形管体と略９０度を呈し、該長形管体の一端が冷、熱風送風機に接続され、これら管体がスプリングベッド或いはソファーのシート又は背もたれ内部に設置され、送風機の送出する冷、熱風が、長形管体及び各枝管を通り床、椅子内部に送られ、保冷、冷却の作用を達成し、且つダニや細菌を除去する機能を有する。【選択図】図１
0003113289.tif 000002
【実用新案登録請求の範囲】
【請求項１】
通気布材で形成された長形管体を具え、該長形管体を貫通する複数の枝管が設けられ、これら枝管が長形管体に対して９０度の方向に、長形管体の両側に配列され、該長形管体の一端は密閉され、もう一端が冷、熱風送風機に接続され、長形管体と枝管がベッド又は椅子の内部に置かれ、送風機の送出する冷、熱風により保冷、保温機能を達成することを特徴とする、ベッド又は椅子の保冷保温装置。
【請求項２】
請求項１記載のベッド又は椅子の保冷保温装置において、長形管体と枝管が粘着帯でベッド又は椅子内のスプリングに緊縛固定されるか或いは椅子の背もたれ内に設置されることを特徴とする、ベッド又は椅子の保冷保温装置。
【請求項３】
請求項１記載のベッド又は椅子の保冷保温装置において、送風機にオゾン発生器が設けられてオゾンを発生し、オゾンが風と共に送出されて空気清浄と殺菌の機能を達成することを特徴とする、ベッド又は椅子の保冷保温装置。
【請求項４】
請求項１記載のベッド又は椅子の保冷保温装置において、送風機に精油タンクが設けられてそれに収容された精油が風と共に均一にベッド又は椅子の端面に散逸し、環境の香りを良くする機能を達成することを特徴とする、ベッド又は椅子の保冷保温装置。
【請求項５】
請求項１記載のベッド又は椅子の保冷保温装置において、ベッド又は椅子の四側面が不通気布で封鎖されたことを特徴とする、ベッド又は椅子の保冷保温装置。
【考案の詳細な説明】
【技術分野】
【０００１】
本考案はベッド又は椅子の保冷保温装置に係り、特にベッド又は椅子に保温或いは冷却の作用を達成させ、横たわる或いは座る者に快適さを提供する保冷保温装置に関する。
【背景技術】
【０００２】
経済の繁栄により、現代生活はますます快適となり、一般に住居にはスプリングベッドとソファーが設置され、これらのベッド、椅子は重厚なクッション体で構成され、これにより、暑い夏に人が横たわる或いは座ると不快感を感じさせ、寒い冬には重厚な床、椅子にダニや細菌が発生しやすく、また保温効果も発生せず、このためベッド又は椅子の快適な使用上、問題があり、改善が待たれている。
【考案の開示】
【考案が解決しようとする課題】
【０００３】
本考案の主要な目的は、一種のベッド又は椅子の保冷保温装置を提供し、スプリングベッド、ソファーに、寒い日或いは暑い日に、保温及び殺菌、ダニ駆除の効果を具備させるか或いは冷却の効果を具備させ、ベッド又は椅子を、使用者が横たわるか座る時に快適で、健康によいものとすることにある。
【０００４】
前述の保冷保温装置は、長形管体を具え、長形管体に複数の貫通する枝管が設けられ、これら枝管が長形管体と略９０度を呈し、長形管体の一端が冷、熱風送風機に接続され、これら管体がスプリングベッド又はソファーの内部に置かれ、送風機の送出する冷、熱風が管体を通り、ベッド又は椅子の内部に送られ、これにより保温、冷却の効果を達成する。
【０００５】
前述の保冷保温装置は、そのうちの長形管体及び各枝管が粘着帯或いはその他の方式でスプリングベッド内部のスプリングに緊縛固定され、これによりその位置ずれが防止される。
【０００６】
前述の保冷保温装置は、そのうちの送風機にオゾン発生機が設けられ、送風と同時にオゾンをベッド、椅子の内部に送り、これにより空気清浄及び殺菌の作用を達成する。
【０００７】
前述の保冷保温装置は、そのうちの送風機が精油タンクを具え、異なる香りの精油を収容し、送風機の風力送出に伴い環境の香りを良くする効果を達成する。
【課題を解決するための手段】
【０００８】
請求項１の考案は、通気布材で形成された長形管体を具え、該長形管体を貫通する複数の枝管が設けられ、これら枝管が長形管体に対して９０度の方向に、長形管体の両側に配列され、該長形管体の一端は密閉され、もう一端が冷、熱風送風機に接続され、長形管体と枝管がベッド又は椅子の内部に置かれ、送風機の送出する冷、熱風により保冷、保温機能を達成することを特徴とする、ベッド又は椅子の保冷保温装置としている。
請求項２の考案は、請求項１記載のベッド又は椅子の保冷保温装置において、長形管体と枝管が粘着帯でベッド又は椅子内のスプリングに緊縛固定されるか或いは椅子の背もたれ内に設置されることを特徴とする、ベッド又は椅子の保冷保温装置としている。
請求項３の考案は、請求項１記載のベッド又は椅子の保冷保温装置において、送風機にオゾン発生器が設けられてオゾンを発生し、オゾンが風と共に送出されて空気清浄と殺菌の機能を達成することを特徴とする、ベッド又は椅子の保冷保温装置としている。
請求項４の考案は、請求項１記載のベッド又は椅子の保冷保温装置において、送風機に精油タンクが設けられてそれに収容された精油が風と共に均一にベッド又は椅子の端面に散逸し、環境の香りを良くする機能を達成することを特徴とする、ベッド又は椅子の保冷保温装置としている。
請求項５の考案は、請求項１記載のベッド又は椅子の保冷保温装置において、ベッド又は椅子の四側面が不通気布で封鎖されたことを特徴とする、ベッド又は椅子の保冷保温装置としている。
【考案の効果】
【０００９】
本考案は複数の通気管体に、冷、熱風送風機が組み合わされて、保温、冷却の効果を達成し、実用性と新規性を有する考案である。
【考案を実施するための最良の形態】
【００１０】
図１、２、３に示されるように、本考案は通気材質で形成された長形管体１を具え、該長形管体１にそれを貫通する複数の枝管２が設けられ、これら枝管２はそれぞれ長形管体１に対して略９０度の方向に、長形管体１の両側に配列され、長形管体１の一端は密閉され、別端は冷、熱風送風機３に接続されている。
【００１１】
これら管体（長形管体１及び枝管２）はスプリングベッド４の内部に置かれ、並びに粘着帯５或いはその他の連接物品で、管体がスプリング４１に緊縛固定され、これにより管体の位置ずれが防止され、またスプリングベッド４の四つの側面は不通気布４２で封じられ、気体の周囲への散逸が防止される。
【００１２】
該送風機３の内部にはオゾン発生器３１と精油タンク３２が設けられている。
【００１３】
前述の部品の組合せにより、保冷保温装置が構成され、該長形管体１及び枝管２がスプリングベッド４の内部に置かれ、並びに粘着帯５で内部のスプリング４１間隙に固定され、送風機３の送出する冷風或いは熱風が、長形管体１及び枝管２を通りスプリングベッド４内部に伝送さ、スプリングベッド４の四側面が不通気布４２で封鎖されており、またその底部は床板で封鎖されているため、熱風或いは冷風はただスプリングベッド４の上面に向けて均一に吹き出し、仰臥時に保温或いは冷却の効果を達成する。そのうち、該送風機のオゾン発生器３１は起動時にオゾンを風と共に均一にスプリングベッド４に伝送し、空気清浄、殺菌、ベッド内のダニ駆除の効果を達成し、精油タンク３２に精油が収容される時、精油が風と共に送出されて、周辺環境の香りを良くする効果を提供する。
【００１４】
図４に示されるように、本考案は使用時に送風機３を起動し、且つそれを冷風或いは熱風モードに切り換えて冷風をスプリングベッド４に送る時、ベッドは冷却され、暑い夏の冷却効果を達成し、熱風モードに切り換えて熱風をスプリングベッド４に送る時、ベッドは温められ、寒い冬の保温効果とダニ駆除の効果を達成する。
【００１５】
図５に示されるように、本考案はソファー６にも応用可能であり、同様に長形管体１と枝管２がソファーのシート或いは背もたれ内に置かれ、それに接続された送風機３の送風により保温、冷却の効果を達成し、座る時の快適さを提供する。
【図面の簡単な説明】
【００１６】
【図１】本考案の立体図である。
【図２】本考案の取り付け実施例図である。
【図３】本考案の取り付け実施例図である。
【図４】本考案をスプリングベッドに使用した実施例図である。
【図５】本考案をソファーに使用した実施例図である。
【符号の説明】
【００１７】
１  長形管体        ２  枝管        ３  送風機        ３１  オゾン発生器
３２  精油タンク                ４  スプリングベッド
４１  スプリング                    ４２  不通気布
５  粘着帯                          ６  ソファー
【図１】
0003113289.tif 000003
【図２】
0003113289.tif 000004
【図３】
0003113289.tif 000005
【図４】
0003113289.tif 000006
【図５】
0003113289.tif 000007